(57)【要約】  本発明は、特には自動車、バス、列車、又は船のための、乗り物ペイン（１０）に関し、これは、少なくとも、第１ペイン要素（１１）及び第２ペイン要素（１２）を有し、これらが、互いに表面対表面で結合しており、それにより、乗り物ペイン（１０）が、第１ペイン面（１１．１）、第２ペイン面（１１．２）、第３ペイン面（１２．３）、及び第４ペイン面（１２．４）を有するようになっている。第２ペイン面（１１．２）が、第１プリント領域（１４）を有しており、かつ、第３又は第４ペイン面（１２．３；１２．４）が、第２プリント領域（１５）を有しており、それによって、乗り物ペイン（１０）にわたる視界領域（１６）を形成している。第１及び第２プリント領域（１４；１５）が、それぞれ、少なくとも第１、第２、及び第３区域（１４．１；１４．２；１４．３；１５．１；１５．２；１５．３）を有して設計されており、少なくとも第１及び／又は第２区域（１４．１；１４．２；１５．１；１５．２）のうちの少なくとも１つが、少なくとも部分的にプリントされており、かつ、第３区域（１４．３；１５．３）が、それぞれ、プリントされていない。第２区域（１４．２；１５．２）が、それぞれ、第１区域（１４．１；１５．１）と第３区域（１４．３；１５．３）との間の移行領域として実施されており、それにより、第１プリント領域（１４）の少なくとも１つの光学的効果を、第２プリント領域（１５）の光学的効果によって相殺することができるようになっている。【選択図】図１
2021510352.tif 000002
【特許請求の範囲】
【請求項１】
特には自動車、バス、列車、又は船のための、乗り物ペイン（１０）であって、
少なくとも、第１ペイン要素（１１）及び第２ペイン要素（１２）を有し、これらが、互いに表面対表面で結合しており、それにより、前記乗り物ペイン（１０）が、第１ペイン面（１１．１）、第２ペイン面（１１．２）、第３ペイン面（１２．３）、及び第４ペイン面（１２．４）を有するようになっており、
前記第２ペイン面（１１．２）が、第１プリント領域（１４）を有しており、かつ、第３又は第４ペイン面（１２．３；１２．４）が、第２プリント領域（１５）を有しており、それによって、前記乗り物ペイン（１０）に沿う視界領域（１６）を形成しており、
前記第１及び第２プリント領域（１４；１５）が、それぞれ、少なくとも第１、第２、及び第３区域（１４．１；１４．２；１４．３；１５．１；１５．２；１５．３）を有して設計されており、
少なくとも前記第１及び／又は前記第２区域（１４．１；１４．２；１５．１；１５．２）のうちの少なくとも１つが、少なくとも部分的にプリントされており、かつ、前記第３区域（１４．３；１５．３）が、すべての場合に、プリントされておらず、
前記第２区域（１４．２；１５．２）が、それぞれ、前記第１区域（１４．１；１５．１）と前記第３区域（１４．３；１５．３）との間の移行領域として実施されており、それにより、前記第１プリント領域（１４）の少なくとも１つの光学的効果を、前記第２プリント領域（１５）の光学的効果によって相殺することができるようになっている、
乗り物ペイン（１０）。
【請求項２】
前記第１プリント領域（１４）における前記第１ペイン要素（１１）の光学的特性としての屈折力を、前記第２プリント領域（１５）における前記第２ペイン要素（１２）の光学特性としての屈折力によって相殺することができることを特徴とする、請求項１に記載の乗り物ペイン（１０）。
【請求項３】
前記第１プリント領域（１４）の前記第１区域（１４．１）が、連続的にプリントされており、又は、個別要素のパターンでプリントされていることを特徴とする、請求項１又は２に記載の乗り物ペイン（１０）。
【請求項４】
前記第１プリント領域（１４）の前記第２区域（１４．２）が、少なくとも部分的に、プリントされた個別要素のパターンとして設計されていることを特徴とする、請求項１〜３のいずれか一項に記載の乗り物ペイン（１０）。
【請求項５】
前記第２プリント領域（１５）の前記第１区域（１５．１）が、連続的にプリントされており、又は、個別要素のパターンでプリントされており、又は、プリントされていない、ことを特徴とする、請求項１〜４のいずれか一項に記載の乗り物ペイン（１０）。
【請求項６】
前記第２プリント領域（１４）の前記第２区域（１５．２）が、少なくとも部分的に、個別要素のパターンとして設計されていることを特徴とする、請求項１〜５のいずれか一項に記載の乗り物ペイン（１０）。
【請求項７】
前記第１プリント領域（１４）及び／又は前記第２プリント領域（１５）の前記第１区域（１４．１；１５．１）及び／又は前記第２区域（１４．２；１５．２）が、少なくとも部分的に、それぞれに関係する前記第３区域（１４．３；１５．３）と同一に設計されていることを特徴とする、請求項１〜６のいずれか一項に記載の乗り物ペイン（１０）。
【請求項８】
前記第２プリント領域（１５）の前記第１区域（１５．１）及び／又は前記第２区域（１５．２）の個別要素のパターンが、段階的なパターンであることを特徴とする、請求項１〜７のいずれか一項に記載の乗り物ペイン（１０）。
【請求項９】
前記第１及び前記第２プリント領域（１４；１５）の前記第１及び第２区域（１４．１；１４．２；１５．１；１５．２）が、黒色プリントの形態で実施されていることを特徴とする、請求項１〜８のいずれか一項に記載の乗り物ペイン（１０）。
【請求項１０】
前記第１プリント領域（１４）及び前記第２プリント領域（１５）を、それぞれ、スクリーンプリントとして設計することができることを特徴とする、請求項１〜９のいずれか一項に記載の乗り物ペイン（１０）。
【請求項１１】
個別要素からできているプリントパターンのための前記個別要素が、円形、矩形、正方形、ひし形、六角形、八角形などの、幾何学的な形状を有していることを特徴とする、請求項１〜１０のいずれか一項に記載の乗り物ペイン（１０）。
【請求項１２】
請求項１〜１１のいずれか一項に記載の乗り物ペイン（１０）を有しており、特には自動車、好ましくは乗用車若しくはトラック、バス、列車、又は船である、乗り物。
【請求項１３】
前記第１及び／又は前記第２プリント領域（１４；１５）の前記第２区域（１４．２；１５．２）のうちの少なくとも１つを、前記第１区域（１４．１；１５．１）と前記第３区域（１４．３；１５．３）との間の移行領域として実施し、それにより、前記第１プリント領域（１４）の少なくとも１つの光学的効果が、前記第２プリント領域（１５）の光学的効果によって相殺されるようにする、請求項１〜１１のいずれか一項に記載の乗り物ペイン（１０）又は請求項１２に記載の乗り物を製造する方法。
【発明の詳細な説明】
【技術分野】
【０００１】
本発明は、乗り物ペイン、乗り物ペインを有する乗り物、及び、乗り物ペインを製造する方法に関する。
【背景技術】
【０００２】
従来技術、例えば欧州特許第２１２１３０８号明細書から、センサを有する乗り物ペインが知られている。欧州特許第２１２１３０８号明細書に記載されているように、これらのセンサを、乗り物ペインに（乗り物ペインの個々の層の間に）統合することも可能である。
【０００３】
一般に、とりわけ、センサを有して設計されうる乗り物ペインのための既知の解決策は、比較的、欠陥を有しやすいとみなされている。
【０００４】
乗り物ペインの製造の間に、曲げプロセスを、熱の影響下で行う。乗り物ペインは、透明領域、及びプリントされた又は黒色にプリントされた領域に沿って異なる温度を有することがあり、そのため、曲げ挙動が、乗り物ペインに沿って、異なる場合がある。その結果として、例えば、乗り物ペインの透明領域と、黒色プリントされた領域とが、異なる曲げ半径を有することがある。
【０００５】
乗り物ペインに沿った実質的な歪みが、曲げ半径におけるそのような逸脱又は変動から生じる。いわゆる「焦線」が、乗り物ペインの透明領域と黒色プリント領域との間の境界に沿って、存在する。
【０００６】
焦線は、光の回折を生じ、それにより、光学的な歪みが起こる。光学特性又は光学的効果としての焦線の発生は、結果として、例えば、光学センサの精度に、大きな影響を及ぼしうる。さらには、乗り物ペインの端部領域におけるそのような歪みは、運転者によって知覚されることもあり、少なくとも、全体的な印象を妨害しうる。
【０００７】
とりわけ、美的な理由から、例えば、センサユニットを取り付けるための接着部位を隠すために、乗り物ペインに、センサ装置に沿って、黒色プリント領域が、提供される。
【発明の概要】
【発明が解決しようとする課題】
【０００８】
したがって、本発明の目的は、美的であり歪みがない外観を示し、経済的に製造することができ、かつ、改善された光学的特性を提供する、乗り物ペインを提供することである。
【課題を解決するための手段】
【０００９】
本発明の目的は、本発明に従って、独立請求項１に係る乗り物ペインによって、達成される。製造方法が、他の独立請求項によって、示されている。有利な実施態様及びさらなる発展が、従属請求項、及び、図面を参照した記載によって、示される。
【図面の簡単な説明】
【００１０】
【図１】図１は、第１及び第２ペイン要素を有する乗り物ペインの全体図である。
【図２】図２は、第１ペイン要素の第２ペイン面に沿う、第１プリント領域の区域の区分の図である。
【図３】図３は、第１及び第２プリント領域に沿う、光学センサの視界領域の図である。
【図３ａ】図３ａは、第１ペイン要素に沿う第１プリント領域を設計するための例示的な実施態様である。
【図３ｂ】図３ｂは、第１ペイン要素に沿う第１プリント領域を設計するための例示的な実施態様である。
【図３ｃ】図３ｃは、第１ペイン要素に沿う第１プリント領域を設計するための例示的な実施態様である。
【図３ｄ】図３ｄは、第１ペイン要素に沿う第１プリント領域を設計するための例示的な実施態様である。
【図４ａ】図４ａは、第２ペイン要素に沿う第２プリント領域を設計するための例示的な実施態様である。
【図４ｂ】図４ｂは、第２ペイン要素に沿う第２プリント領域を設計するための例示的な実施態様である。
【図４ｃ】図４ｃは、第２ペイン要素に沿う第２プリント領域を設計するための例示的な実施態様である。
【図４ｄ】図４ｄは、第２ペイン要素に沿う第２プリント領域を設計するための例示的な実施態様である。
【図４ｅ】図４ｅは、第２ペイン要素に沿う第２プリント領域を設計するための例示的な実施態様である。
【００１１】
本発明に係る乗り物ペイン、特には自動車、バス、列車、又は船のための乗り物ペインは、少なくとも１つの第１ペイン要素及び第２ペイン要素を備えており、これらが、互いに、表面対表面で結合しており、それにより、乗り物ペインが、第１ペイン面、第２ペイン面、第３ペイン面、及び第４ペイン面を有するようになっている。第２ペイン面が、第１プリント領域を有し、第３又は第４ペイン面が、第２プリント領域を有し、乗り物ペインに沿う視界領域を形成しており、
第１及び第２プリント領域が、それぞれ、少なくとも第１、第２、及び第３区域を有して設計されており、第１区域及び／又は第２区域の少なくとも１つが、少なくとも、部分的にプリントされており、かつ、第３区域が、全ての場合に、プリントされておらず、
第２区域が、それぞれ、第１区域と第３区域との間の移行領域として実施されており、それにより、第１プリント領域の少なくとも１つの光学的効果を、第２プリント領域の光学的効果によって相殺することができるようになっており、好ましくは相殺するようになっている。
【００１２】
本発明は、乗り物ペインの第１ペイン要素及び第２ペイン要素が、それぞれ、プリント領域を有して設計され、それにより、発生する光学的効果又は光学的特性を、互いに打ち消し合うようになっており、又は互いに相殺し合うようになっている、という考えに基づいている。
【００１３】
第１プリント領域及び第２プリント領域を、適合している異なる区域又は連係している異なる区域で設計することによって、光学的効果又は光学的特性の相殺を実行することが可能となり、それにより、例えば、乗り物ペインにおける焦線又は光学回折を相殺することができるようになっている。特には、相互に対応する光学的効果を提供し、それにより、合計で、それらが、好ましくは、互いに打ち消し合うようにする。
【００１４】
乗り物ペインに沿う光学的効果又は光学的特性を打ち消すこと又は低減することができることによって、特には、運転者の視野領域において、かつ／又は光学センサ若しくはセンサ装置の視野領域において、少なくとも歪みがない外観、運転者に関して快適な視界条件、及び／又は、センサ若しくはセンサ装置の出力の改善された正確性若しくは再現性を達成することが、可能になる。
【００１５】
このようにして、特には、本発明によって、光学センサとともに使用することに関して有利な光学特性を有する乗り物ペインを提供することが、可能となるようにする。
【００１６】
さらには、本発明によって、乗り物の運転者に関して有利な光学的特性を有する乗り物ペインを提供することが、可能となるようにする。
【００１７】
本発明に係る乗り物ペインは、少なくとも１つの第１ペイン要素及び少なくとも１つの第２ペイン要素を有し、これらが、互いに、表面対表面で結合しており、それにより、乗り物ペインが、第１ペイン面、第２ペイン面、第３ペイン面、及び第４ペイン面を有して設計されるようになっている。
【００１８】
好ましくは、第１及び第２ペイン要素が、積層によって、互いに重なり合って配置され、かつ、一緒に結合されている。したがって、積層層が、第１と第２ペイン要素との間に提供されてよい。これは、乗り物ペインに関して、一緒に結合されているペイン要素を提供するための一般に用いられる方法に、対応する。
【００１９】
積層ペイン要素が、乗り物ペインの光学システムのための基本構造を提供する。
【００２０】
結合されたペイン要素は、合計で４つのペイン面を利用可能にする。第１ペイン面は、乗り物ペインの外側面である。第４ペイン面は、乗り物ペインの内側面である。
【００２１】
第２及び第３ペイン面は、それらの間に提供されうる積層層を伴って、互いに向き合って配置される。
【００２２】
第２ペイン面が、第１プリント領域を有し、第３又は第４ペイン面が、第２プリント領域を有し、乗り物ペインに沿う視野領域、例えば、少なくとも１つの光学センサのための視野領域を、形成する。
【００２３】
本発明は、有利な光学特性を有する乗り物ペイン、又は乗り物ペインに沿う視界領域を設計することを、可能にする。これは、自動車、船などの運転者に関し、かつ、センサ又は光学センサの使用に関する。例示として、本発明を、下記において、特には、光学センサの使用の観点で説明する。同じ説明が、乗り物運転者にも当てはまる。
【００２４】
本発明に関して、「プリント領域」は、特には、ペイン面又はペイン要素の領域を意味することができ、この領域が、例えば、黒色プリント又はスクリーンプリントによって適切にコーティングされてよく、特には、部分的にコーティングされてよい。
【００２５】
したがって、プリント領域が、連続的にプリントされた領域又は区域、部分的にプリントされた領域、及び、プリントされていない領域を有してよい。
【００２６】
第２プリント領域を、第３又は第４ペイン面に沿って配置することができる。好ましくは、例示として下記で示されるように、第２プリント領域が、第４ペイン面に配置される。
【００２７】
この意味で、第３プリント領域を、例えば、第３ペイン面に提供してもよい。
【００２８】
本発明に関して、「視界領域」は、センサ計測又は乗り物運転者の視界の光学特性又は環境又は条件に影響する乗り物の領域であると理解することができる。
【００２９】
用途又は個々の場合に応じて、乗り物ペインの中央領域及び周縁領域を、ともに、視界領域に割り当てることができる。
【００３０】
乗り物ペインの中央部分における視界領域が、主に、センサに割り当てられる。一方で、運転者の視界領域は、乗り物ペインの、端部を含んで、全体領域を含みうる。
【００３１】
したがって、「視界領域」を、センサ又はセンサ装置が、乗り物ペインの光学的効果又は光学的特性を「見る」ことができる領域、すなわち、それぞれのセンサの計測結果が影響される領域として、規定しうる。
【００３２】
したがって、「視界領域」は、例えば、単に、一連の光学的計測の間に電磁放射が通過しうる乗り物ペインの透明領域に言及するものではない。そうではなく、本発明に関して、「視界領域」は、特には、少なくとも１つのセンサの光学軸に沿う第１及び／又は第２ペイン要素の屈折力に影響しうる、周辺的又は周縁的な領域も、示している。
【００３３】
本発明によれば、第１及び第２プリント領域が、それぞれ、第１、第２、及び第３区域を有して設計されており、
第１及び／又は第２区域（１４．１；１４．２；１５．１；１５．２）のうちの少なくとも１つが、少なくとも部分的にプリントされ、かつ、第３区域が、全ての場合に、プリントされておらず、
第２区域が、それぞれ、第１区域と第３区域との間の移行領域として実施されており、それにより、第１プリント領域の少なくとも１つの光学的効果が、第２プリント領域の光学的効果によって相殺されうるようになっている。
【００３４】
第１及び第２プリント領域を、それらの設計に関して、それぞれ、３つの区域に分割することができる。本発明に関して、これらの区域を、好ましくは光学センサの視界領域において互いに区別しうる、表面領域又は表面部位とみなすことができる。
【００３５】
第１区域は、乗り物ペインの全体的、光学的な挙動の決定に寄与する区域である。好ましくは、第１区域が、プリントを有しており、特には、黒色プリントを有している。代替的には、第１区域が、少なくとも部分的に、プリントされていなくてよい。
【００３６】
第２区域は、第１区域と第３区域との間の移行領域である。したがって、第２区域を、第１と第３区域との間の移行部を提供するための、プリントされた領域とみなすことができ、特に、部分的にプリントされた領域とみなすことができる。
【００３７】
代替的には、第２区域を、第１区域に統合して提供してよい。
【００３８】
この意味で、第２区域は、第１区域と第２区域との間における、漸進的な、段階的な、若しくはソフトな移行部であってよく、又は、急激な、すぐの、ハードな、若しくは極めて短い移行部であってよい。
【００３９】
第３区域は、常に、第１及び第２プリント表面の透明区域として設計される。第３区域は、透明であり、又はプリントされていないので、第３区域は、それを通じて例えば光学センサ又は乗り物運転者が適切に見ることができる、第１及び第２プリント表面の領域を、構成する。したがって、第３区域を、第１及び／又は第２区域によって囲まれている領域とみなすことができる。
【００４０】
第１及び第２プリント領域を用いた光学的効果又は光学的特性の相殺とは、特には、例えば、第１プリント領域によってもたらされる回折を、第２プリント領域の反転された又は対応する回折によって打ち消しうることを、意味する。
【００４１】
特には、本発明に関して、「光学的効果の相殺」は、完全に又はほぼ完全に歪みのない乗り物ペインとなるような、光学的ゆがみの相殺を、意味する。
【００４２】
好ましくは、第２プリント領域によって、反転された光学的効果を達成することができ、これは、第１プリント領域の光学的効果に、この意味で、大きさの点で対応している。
【００４３】
したがって、例えば、第１ペイン要素が、第１プリント領域によって、集合レンズ又は凹レンズを形成し、一方で、第２ペイン要素が、第２プリント領域によって、発散レンズ又は凸レンズを形成し、それにより、第１及び第２ペイン要素の組み合わせにおいて、ニュートラルな光学システムがもたらされるようになっている。
【００４４】
本発明に関して、「少なくとも１つの光学的効果の相殺」は、対照的な光学的に反転している要素による、光学的効果の、的を絞った打消しを意味するものと理解しうる。
【００４５】
好ましくは、乗り物ペインを通る完全にアセンブルされた光線経路が、通過する光学的な放射に影響を及ぼさず、又はほとんど影響を及ぼさない。この意味で、本発明に係る乗り物ペインによって提供される光線経路を、ニュートラルな光線経路であるとみなすことができる。
【００４６】
光学的な放射を、影響なく又はほとんど影響なく、乗り物ペインを通って伝達させることが、可能となる。
【００４７】
これに関して、「スクリーンプリント又は黒色プリントによる相殺」は、全体の光学システムが例えば屈折力を有しないか又はほとんど屈折力を有しないような、光学的効果の過大な相殺又は過小な相殺も、意味しうる。
【００４８】
そのような過大相殺は、特にはスクリーンプリント又は黒色プリントによって引き起こされる光学的効果又は歪みを打ち消すことを可能にしうるだけでなく、全体的な光学システムとしての乗り物ペインの追加的な光学的効果を相殺することも、可能にしうる。
【００４９】
代替的には、過小相殺の形態でのスクリーンプリント又は黒色プリントを、光学的効果の一部分のみの打消しのために提供し、それにより、全体的なシステムの光学的効果の合計が、今度は、光学的ゆがみを有せず又はほとんど有しないようにすることができる。
【００５０】
したがって、本発明による、必要に基づく過大相殺によって、好ましくは、運転者、センサ、又は光学センサなどの、全体的な光学的システムにおけるすべての又はほとんどすべての光学的効果を、打ち消すことができる。
【００５１】
一般に、本発明によって、例えば焦線又は回折効果に起因して生じる光学的な欠陥又は計測のゆがみを、回避することができる。
【００５２】
さらには、他の因子が、乗り物ペインの光学的特性又は条件に悪影響を及ぼしうる。特に、個々のペイン要素又は乗り物ペイン全体の厚み、ペイン要素の色、少なくとも２つのペイン要素の間の積層層、又は、ペイン要素の上若しくは間のコーティングが、本発明に関して、光学的な条件に影響を及ぼしうる。
【００５３】
したがって、本発明に関して、第１及び／又は第２プリント領域を設計し、それにより、乗り物ペインの全体的な光学システムが、光学的影響を有しない又はほとんど有しないようにすること、特には、光学的な屈折力を有しないようにすることができる。このようにして、ニュートラルな光学的システムを提供することができる。
【００５４】
例えば、ペイン要素が、異なる厚みを有してよく、又は同一の厚みを有してよい。特に、自動車分野において慣用的に使用される寸法に対応するペインの厚みが、提供される。また、１つのペイン要素に関して又は両方のペイン要素に関して、薄いガラスの使用、例えば、１．２ｍｍ以下、好ましくは１．０ｍｍ以下、特に好ましくは０．６ｍｍ〜１．０ｍｍの厚みを有するガラスの使用を、想定することができる。
【００５５】
個々のペイン要素の色に関して、ペイン要素のうちの少なくとも１つを、グリーン、ブルー、ホワイト、又は自動車分野において慣用的な他の色に着色することができる。
【００５６】
さらには、ペイン面に沿うコーティング、特には、第２、第３、又は第４ペイン面に沿うコーティングを、想定することができ、例えば、赤外線反射コーティング又は熱放射低減コーティング（低放射率コーティング）を想定することができる。
【００５７】
例えば、赤外線反射コーティングを、２つのペイン要素の間の積層層の中に提供することもできる。したがって、２つのポリビニルブチラールの層（ＰＶＢの層）又はフィルムの形態の積層層の実施を想定することができる。赤外線反射性又は赤外線吸収性の中間層を、２つのＰＶＢ層の間に提供し、それにより、サンドイッチ構造となるようにすることができる。
【００５８】
さらに、プリント領域の特定の設計を、プリントの形状及び形態に関する他の因子に適合させることができ、例えば、センサ又はセンサユニットの接着箇所を覆うこと、プリント表面を他の構成要素のための接着表面として提供することなどができる。
【００５９】
要約すると、本発明は、第１及び第２プリント表面の、乗り物ペインの条件への、的を絞った適合を提供し、それによって、光学的効果又は特性を相殺し、特には、歪みのない乗り物ペインを提供することを可能にする。
【００６０】
１つの実施態様によれば、第１プリント領域における第１ペイン要素の光学的特性としての屈折力を、第２プリント領域における第２ペイン要素（１２）の光学的特性としての屈折力によって相殺することが、可能となる。
【００６１】
特に、少なくとも部分的に黒色プリントされている区域とプリント領域の透明区域との間の移行部における焦線の発生を低減又は回避することができる。この意味で、光学的な回折を、大きさの点で第１プリント領域の屈折力に対応している反転した屈折力を有する第２プリント領域によって、弱めることができる。
【００６２】
別の実施態様によれば、第１プリント領域の第１区域が、連続的にプリントされており、又は、個別要素のパターンでプリントされている。
【００６３】
「連続的なプリント」は、特には、プリントプロセスの間における、例えばスクリーンプリントプロセスの間における、表面の完全なコーティングを意味する。この場合、第１区域は、黒色プリントの場合には、黒色で完全に塗られ、又は完全にコーティングされる。このようにして、第１区域の、入射電磁放射の最大限の吸収、及び不透明度が、達成される。
【００６４】
パターンは、個別要素の互いに対して繰り返す配置によって、形成する。
【００６５】
１つの実施態様では、第１プリント領域の第２区域を、少なくとも部分的に、プリントされた個別要素のパターンとして、設計する。
【００６６】
この意味で、第２区域は、完全にプリントされた領域又はプリントされていない領域を有することができる。さらに、第１プリント領域の第２区域は、個別要素のパターンを備えている少なくとも１つのサブエリアを有する。
【００６７】
第１プリント領域の第２区域の設計は、第２区域が第１区域及び／又は第３区域によって補完されるようにすることができる。第２区域が、第３区域を部分的にのみ囲んでよく、それによって、この領域における第１区域と第３区域との間の移行部を提供してよい。
【００６８】
第１及び第２プリント領域の第１、第２、及び第３区域の特定の設計は、常に、達成されるべき最終的な光学的な結果に向けられ、達成されるべき最終的な光学的な結果は、第１及び第２ペイン要素の組み合わせから生ずる。
【００６９】
この意味で、第１及び第２プリント領域の第１、第２、及び第３区域の実施は、必要に応じて異なってよく、かつ互いに連係してよい。
【００７０】
別の実施態様では、第２プリント領域の第１区域を、連続的にプリントし、又は個別要素のパターンでプリントし、又はプリントしない。
【００７１】
したがって、第２プリント領域の第１区域を、第１プリント領域の第１区域と同様に、完全に不透明で設計してよく、又は、パターンでプリントしてよい。
【００７２】
１つの実施態様によれば、第２プリント領域の第２区域を、少なくとも部分的に、個別要素のパターンとして設計する。この意味で、第２プリント領域又は第２ペイン要素に沿う第２区域を、関連する第１と第３区域との間の移行領域とみなすことができる。
【００７３】
第２プリント領域の第２区域を、個別要素のパターンでプリントし、それにより、例えば、光学的な回折を、第１ペイン要素の第１プリント領域との関連において打ち消しうるようにすることができる。
【００７４】
このようにして、第１ペイン要素の光学的効果を、第２ペイン要素の対応する光学的効果によって、相殺することができる。
【００７５】
別の実施態様によれば、第１プリント領域及び／又は第２プリント領域の第１区域及び／又は第２区域を、それぞれに関係する第３区域と少なくとも部分的に同一に、設計する。
【００７６】
プリントされている又はプリントされていない領域又は区域の、適切な変形態様を使用することができる。特に、個々の区域が、互いに移行してもよく、互いから幾何学的に厳密に画定されていなくてよい。この意味で、特には、第１及び第２区域を、互いに少なくとも部分的に統合されたものとみなしてよく、又は互いに少なくとも部分的に同一のものとみなしてよい。
【００７７】
例えば、第２プリント領域の第３区域を、関係する第３区域と同一に、プリントされていないものとして、すなわち透明で、設計することができる。
【００７８】
さらには、例えば、第１プリント領域の第２区域を、関係する第１区域のように、部分的にプリントされていないようにすることができる。
【００７９】
別の実施態様によれば、第２プリント領域の第１区域及び／又は第２区域の個別要素のパターンが、段階的なパターンであってよい。
【００８０】
用語「段階的なパターン」は、特に、プリントされたパターンの特徴が、プリントされた領域にわたって変化することを意味しうる。例えば、個別要素のサイズ、個別要素の間の距離、個別要素の形状、プリントされた個別要素の色、又は、同様の特徴が、関係するプリント領域に沿って、種々であってよい。
【００８１】
この意味で、個別要素のパターンが、第２プリント領域の第１及び／又は第２区域の表面に沿って、変化してよく、又は種々であってよい。
【００８２】
さらには、そのような段階的なパターンを、一般に、第１及び／又は第２プリント領域の任意の区域に提供することができる。
【００８３】
１つの実施態様では、第１及び第２プリント領域の第１及び第２区域を、少なくとも部分的に黒色プリントの形態であるように実施する。
【００８４】
この意味で、第１及び第２区域をそれぞれ別個に設計し、かつ黒色プリントに適合させ、それにより、特には、効果、例えば、乗り物ペインの光学的システムにおける屈折力を相殺しうるようにすることができる。乗り物ペインが、好ましくは、光学的効果、例えば屈折力の形での光学的効果を有さず、又はほとんど有しない。
【００８５】
さらに、黒色プリントを、乗り物ペインの機能的にゆがみのない設計のための開口部として提供することができる。
【００８６】
１つの実施態様によれば、第１プリント領域及び第２プリント領域を、それぞれ、スクリーンプリントとして設計することができる。
【００８７】
このようにして、スクリーンプリントプロセスによって、本発明に係る乗り物ウィンドウの大量生産のための第１及び第２プリント領域の経済的な複製が、可能となる。
【００８８】
さらには、スクリーンプリントプロセスの間に、他の機能層を、黒色プリントに加えて又は黒色プリントに代えて、乗り物ペインのペイン面の１つに沿って、適用することができる。ペイン面の少なくとも１つを、例えば加熱又はアンテナ機能又は他の機能を実現するための要素で、コーティングすることができる。
【００８９】
例えば、赤外反射コーティング、又は、ペイン、カメラ、若しくはセンサの加熱を実施するための導電性コーティングが、想定されうる。また、熱放射を低減するためのコーティング、いわゆる「低放射率」コーティングの設計も可能であり、かつ、任意の他の機能性コーティングも、想定することができる。
【００９０】
特に、そのような機能性コーティングを、第３又は第４ペイン面、好ましくは第３ペイン面に配置することができる。好ましくは、低放射率コーティングを、第４ペイン面に配置する。
【００９１】
１つの実施態様では、個別要素から形成されるプリントパターンのための個別要素が、円、矩形、正方形、ひし形、六角形、八角形などの幾何学的形状を有する。
【００９２】
個別要素のパターンを有する態様は、特には、好ましくは随意に又は必要に応じて設計しうる多数の要素を有するプリントを示している。
【００９３】
本発明の同等の態様では、乗り物、特には自動車、好ましくは乗用車若しくはトラック、バス、列車、又は船が、上述の請求項のうちの１つに係る乗り物ペインを備えている。
【００９４】
したがって、本発明に係る乗り物ペインを、有利には、自動車のために使用することができる。光学センサに関して、本発明に係る乗り物ペインを使用することによって、改善された測定精度を達成することができる。
【００９５】
別の同等の態様では、本発明に係る乗り物ペイン又は乗り物ペインを有する本発明に係る自動車を製造する方法が提供され、第１及び／又は第２プリント領域の第２区域のうちの少なくとも１つを、第１区域と第３区域との間の移行領域として実施し、それにより、第１プリント領域の少なくとも１つの光学的効果が、第２プリント領域の光学的効果によって相殺されるようになっている。
【００９６】
本発明に係る乗り物ペインの製造方法の過程の間において、曲げ操作は、乗り物ウィンドウの熱吸収に依存する。熱吸収を、乗り物ペインのペイン要素の局所的な領域のプリント又は黒色プリントを使用して調節又は設定することができる。特に、このために、個別要素を有するプリントの密度又は強度、個別要素の形状、完全にプリントされた表面としての設計などを変えることができ、それにより、特定の、個別的に設計された表面部位が存在するようにすることができる。
【００９７】
特には別個の局所的なエリアにおける、プリント領域の特定の別個の設計によって、乗り物ペインの曲げ操作に影響を及ぼすことができる。このようにして、結果としてもたらされる乗り物ペインの光学的効果又は特性、例えば歪み、特には乗り物ペインの屈折力を、第１及び第２プリント領域の設計を通じて、実質的に設定することが可能となる。
【００９８】
また、本発明に係る方法の意味において、本発明に係る乗り物ペイン又は本発明に係る乗り物の上述の全ての態様を、本発明に係る製造方法に関して実施することができ、又は利用可能にすることができる。
【００９９】
このようにして、完全に又はほぼ完全にゆがみのない乗り物ペインを、本発明に係る方法を使用することによって、提供することができる。
【０１００】
本発明を、下記で、添付の図面を参照して、説明する。
【０１０１】
図１は、第１及び第２ペイン要素１１；１２を有する乗り物ペイン１０の全体図を描写している。
【０１０２】
第１及び第２ペイン要素１１；１２が、好ましくは、表面対表面で、互いに重なり合って配置されている。特に、ペイン要素を、乗り物ペインの慣用的な製造方法に従って実施してよい。したがって、積層層（図１では図示せず）が、好ましくは、第１と第２ペイン要素（１１と１２）との間に提供される。
【０１０３】
第１ペイン要素１１が、第１及び第２ペイン面１１．１；１１．２を有する。第１ペイン面１１．１は、好ましくは、外側に向いているペイン面であり、第１ペイン要素１１の第２ペイン面は、好ましくは、積層層に対向している。この意味で、第１ペイン要素１１は、乗り物ペイン１０の外部部分である。
【０１０４】
第２ペイン要素１２が、第３及び第４ペイン面１２．３；１２．４を提供する。第３ペイン面１２．３が、好ましくは、図１に図示されていない積層層に対向している。したがって、第１ペイン要素１１の第２ペイン面１１．２と、第２ペイン要素１２の第３ペイン面１２．３が、互いに隣り合って配置されている。
【０１０５】
第２ペイン要素１２の第４ペイン面１２．４が、好ましくは、内向き、すなわち乗り物の内部に向いているペイン面である。
【０１０６】
第１プリント領域１４が、第２ペイン面１１．２に沿って提供されており、第２プリント領域１５が、第４ペイン面１２．４に沿って配置されている。プリント領域１４、１５は、特には、少なくとも１つのセンサ特には少なくとも１つの光学センサが配置されるペイン要素１１；１２又はペイン面１１．２；１２．４の表面部位を、示している。
【０１０７】
代替的には、第１プリント領域１４に関して図１で描写されているようなプリント領域が、例えば、乗り物運転者に関連するペイン要素１１；１２の表面部位を、示してよい。
【０１０８】
センサ又はセンサ装置に関する本発明の例示的な説明に関して、図１に係る第１プリント領域１４は、主に、第２ペイン面１１．２の上方側端部に沿って中央寄りに設計された領域を示している。第２プリント領域１５は、特に、第４ペイン面１２．４の上方側端部に沿って中央寄りに配置された表面領域を示している。
【０１０９】
乗り物運転者に関する本発明の用途を考慮すると、代替的に、図１に係る第１プリント領域１４が、第２ペイン面１１．２の全体を示してよく、第２プリント領域１５が、第４ペイン面１２．４の全体を示してよい。
【０１１０】
図１によれば、第１及び第２プリント領域１４；１５が、共に、透明な領域又は区域、及び、黒色プリントでコーティングされた又は不透明にプリントされた領域又は区域を、有する。
【０１１１】
結果として、少なくとも１つの光学センサが、プリント領域１４；１５の透明部位に実質的に沿って配置されるようにし、又は、プリント領域１４；１５の透明部位を通じて光学計測を実行するようにする。
【０１１２】
図１によれば、第１及び第２プリント領域１４；１５が、それぞれ、センサをカップリングする（つなぐ）ための２つの透明領域を有して設計されている。透明領域は、プリント領域１４；１５に沿って円形又は正方形である。
【０１１３】
特に、第１及び第２プリント領域１４；１５に沿う透明領域又は区域が、実質的に、同一の形状で設計されている。
【０１１４】
第１プリント領域１４に沿う透明領域が、第２プリント領域１５に沿う透明領域よりも大きい寸法を有してよい。例えば、外側に向いている第１プリント領域１４を使用することによって、センサ装置の扇形又は円錐形の光線経路のための十分な透明エリア、及び、例えば太陽光に対する適切な保護を提供することができる。
【０１１５】
さらに、図１に描写される透明領域を、半透明表面領域などとして設計することを想定することができる。特に、これは、赤外線センサ又は不可視波長範囲の電磁放射で作動する他のセンサの使用の場合に、当てはまりうる。
【０１１６】
図１に示されている第１及び第２プリント領域１４；１５の透明部位は、この意味で、特には、第４ペイン面１２．４又は第２ペイン要素１２に沿う２つのセンサのカップリング領域を、描写している。
【０１１７】
図２は、第１ペイン要素１１の第２ペイン面１１．２に沿って、第１プリント領域１４の区域の区分にわたる図を示している。
【０１１８】
図２によれば、プリント領域１４；１５が、それぞれ、第１区域１４．１、１５．１、２つの第２区域１４．２；１５．２、及び２つの第３区域１４．３；１５．３を有する。これらの区域は、それぞれ、異なる光学特性を有する。
【０１１９】
第３区域１４．３；１５．３は、表面部位であり、これに沿って、少なくとも１つの光学的なセンサ又はセンサ装置が、第４ペイン面１２．４にカップリングされる。
【０１２０】
第１区域１４．１；１５．１は、センサ装置を取り囲む表面領域であり、図１によれば、これが、黒色プリントで設計されている。
【０１２１】
第１プリント領域１４の第１区域１４．１のそのような黒色プリントは、スクリーンとしての役割、及び、外部電磁放射に対する保護としての役割を有しうる。したがって、例えば、太陽光に起因する経年劣化効果などを、防止することができる。
【０１２２】
図２によれば、２つの第２区域１４．２；１５．２も、第１又は第２プリント領域１４；１５に沿って実施されている。したがって、第２区域１４．２；１５．２が、それぞれ、完全に第３区域１４．３；１５．３を取り囲み、又は枠様に囲む。
【０１２３】
この意味で、第２区域１４．２；１５．２は、それぞれのプリント領域１４；１５の、第２区域１４．１；１５．１と、関連する第３区域１４．３；１５．３との間の、移行領域である。
【０１２４】
図３は、特には慣用的に使用されるスクリーンプリントを有している、第１プリント領域１４に沿う光学センサの視界領域１６にわたる図を描写している。
【０１２５】
本発明に関して、センサの視界領域１６は、好ましくは光学計測に影響を及ぼしうる乗り物ペインの表面領域を示しうる。代替的には、視界領域１６は、例えば、乗り物運転者に関する光学的な条件に影響しうる、乗り物ペイン１０の表面領域を示しうる。
【０１２６】
図３は、プリント領域１４；１５の形態でのセンサの視界領域１６を示す。正方形の形状で点線によって描かれている領域は、例示として、プリント領域１４；１５の設計に関して、下記の図３ａ〜３ｄ及び図４ａ〜４ｅにおいて使用されている。
【０１２７】
乗り物ペイン１０の光学特性の適合又は好ましくは別個の適合は、特に、視界領域１６に沿って関係する。例えば、プリント領域１４；１５を、それぞれ、少なくとも部分的に又は完全に、別個に設計される黒色プリントでプリントするようにする。
【０１２８】
図３から逸れて、視界領域１６を、異なる幾何学的形状、例えば円形又は六角形で規定することもできる。関係する視界領域の形成は、乗り物ペインの形状、そこにカップリングされるセンサのタイプ、ウィンドウに作用する環境的条件などに依存しうる。
【０１２９】
さらには、視界領域１６の光学的特性が、第１及び第２プリント領域１４；１５の適切な特定の実施の組み合わせによって、決定される。
【０１３０】
図３ａ〜図３ｄは、第１ペイン要素１１に沿う第１プリント領域１４を形成するための種々の例示的態様を描写している。
【０１３１】
図３ａによれば、第１ペイン要素１１の第１区域１４．１を、黒色プリントによって連続的にプリントして設計し、第３区域１４．３を、透明に、すなわちプリントなしで設計する。
【０１３２】
第２区域１４．２が、図３ａに係る第３区域１４．３を完全に取り囲み、それにより、第２区域１４．２が枠を形成するようになっている。したがって、第２区域１４．２は、第１と第３区域（１４．１と１４．３）との間の移行領域である。
【０１３３】
図３ａによれば、第２区域が、個別要素のパターンでプリントされている。好ましくは、個別要素が、黒色プリントとして実施される。個別要素が、正方形形状を有している。図３ａによれば、パターンが、正方形の個別要素の均一で連続的なパターンとして、実施されている。
【０１３４】
図３ｂによれば、第２区域１４．２が、個別要素のパターンによって部分的にのみプリントされている。第２区域１４．２の残りは、第１区域１４．１と同一に実施されている。
【０１３５】
したがって、図３ｂに係る例示的な態様を、第２区域１４．２が部分的に分離されておりかつ部分的にのみ第１区域１４．１に統合されているとみなすことができる。
【０１３６】
第２区域１４．２が、切頂円錐形の第３区域１４．３の先端側末端部及び平坦側末端部における個別要素のパターンとして、実施されている。
【０１３７】
第３区域１４．３は、切頂円錐形の形状以外に、異なる構成を有することもできる。第３区域１４．３；１５．３の切頂円錐形の形状は、図３ａ〜３ｄ及び図４ａ〜図４ｅの意味において、単なる例示的な設計として理解されるべきである。
【０１３８】
第２区域１４．２のパターンの個別要素は、図３ｂによれば、円形形状である。
【０１３９】
要約すると、第１プリント領域１４の第２区域１４．２を、そのプリント処理及びその幾何学的寸法の観点において、必要に応じてかつ適切に設計することができる。
【０１４０】
この意味で、第２区域１４．２を、局所的にのみ分離して設計し、それによって、第１区域と第３区域１４．３との間の移行領域を提供することができる。同じことが、第２プリント領域１５の区域１５．１；１５．２；１５．３に関しても、必要に応じて当てはまりうる。
【０１４１】
図３ｃでは、第二区域１４．２が、切頂円錐形の第３区域１４．３の平坦側末端部に沿って提供されている。特に、第２区域１４．２が、部分的に、プリントされていない領域の形態の個別要素のパターンとして、設計されており、かつ、部分的に、第１区域１４．１に統合されている。
【０１４２】
図３ｄでは、第１区域１４．１が、プリントされた個別要素のパターンとして提供されており、第２区域１４．２を、第１区域１４．１に統合されているものとみなすことができる。この意味で、第２区域１４．２が、第１区域１４．１に完全に統合されて提供されている。
【０１４３】
第１及び第２区域１４．１；１４．２が、切頂円錐形の第３区域１４．３を、完全に取り囲んでいる。
【０１４４】
図４ａ〜図４ｅは、第２ペイン要素１２に沿って第２プリント領域１５を設計するための種々の例示的な実施態様を描写している。
【０１４５】
第２プリント領域１５の第１、第２、及び第３区域１５．１；１５．２；１５．３の設計に関して、第１プリント領域１４に関して既に説明したのと同じ代替態様を、適用しうる。
【０１４６】
図４ａによれば、第１区域１５．１が、連続的な黒色プリントとして設計され、第３区域１５．３が、プリントされず、透明である。
【０１４７】
第２区域１５．２は、第１区域１５．１に統合されているとみなすことができる。
【０１４８】
一般に、本発明に関して、第２区域１４．２；１５．２を、必要に応じて、それぞれ、第１区域１４．１；１５．１と同一に設計することができ、又は、それらに統合して設計することができる。そのような場合には、移行領域が、本発明に関して、第１と第３区域（１４．１；１４．３と１５．１；１５．３）との間の第２区域１４．２；１５．２として形成され、特には、透明な第３区域１４．３；１５．３との境界に沿って直接的に形成される。
【０１４９】
第１及び第２プリント領域１４；１５の、別個のかつ適切な設計が、第１、第２、及び第３区域１４．１；１４．２；１４．３；１５．１；１５．２；１５．３によって提供され、それによって、光学的な効果、特には光学センサの視界領域１６における光学的な効果を相殺するためのペイン要素１１；１２の適切な組み合わせが、提供される。
【０１５０】
図４ｂによれば、第１区域が、個別要素のパターンとしてプリントされ、個別要素が、円形形状を有している。
【０１５１】
第２区域１５．２は、第１区域１５．１に統合されて示されている。
【０１５２】
図４ｃでは、第２区域１５．２が、同様に、第１区域１５．１に統合されたものとして、提供されている。
【０１５３】
第１区域１５．１が、個別要素のパターンとして設計されており、個別要素が、六角形の形状を有する。
【０１５４】
図４ｃによれば、第１区域１５．１が、段階的なパターンで提供されている。
【０１５５】
段階的なパターンが、六角形の個別要素の種々のサイズの形態で実施されている。特に、六角形の個別要素のサイズが、第３区域１５．３の切頂円錐の平坦末端部から、切頂円錐形の第３区域１５．３の先細っている末端部の方向への経路に沿って、種々のサイズとなっている。
【０１５６】
単純、均一にデザインされた個別要素のパターンの代わりに、本発明の意味において、段階的なパターンを、常に提供することができ、個別要素のサイズ、パターンの形状、個別要素の間の距離、又は、プリントの同等の特徴を、変えることができる。
【０１５７】
図４ｄでは、第２プリント領域１５の第１区域１５．１が、第３区域１５．３と同一で、プリントなしで又は透明で、形成されている。
【０１５８】
第２区域１５．２が、第３区域１５．３を、完全に囲んでいる。第２区域１５．２が、正方形の個別要素から形成されている周縁的な段階的パターンで設計されている。
【０１５９】
段階的なパターンが、特には、個別要素の列が第３区域１５．３の丸みを帯びた端部に沿って広がるように、設計されている。したがって、第３区域１５．３の丸みを帯びたコーナー部に沿って、第２区域１５．２において、個別要素の比較的低い密度が存在している。
【０１６０】
図４ｅによれば、第１区域１５．１が、円形の個別要素の均一なパターンでプリント又は設計されている。
【０１６１】
第２区域１５．２が、切頂円錐形の第３区域１５．３の平坦側末端部に沿って、個別要素の段階的なパターンとして、提供されている。
【０１６２】
個別要素が、実質的に円形の形状を有しており、個別要素が、所々で、重なり合っている。部分的に曲がりくねったパターンが、得られている。
【０１６３】
第３区域１５．３の尖っていない又は平坦な側の末端部を除いて、第２区域１５．２が、第１区域１５．１として統合されており、又は、それと同一に設計されている。したがって、図４ｅによれば、第２区域１５．２が、尖っていない又は平坦な側の末端部のみにおいて、第３区域１５．３から、孤立して際立っている。
【０１６４】
第３区域１４．３；１５．３は、常に、第１又は第２プリント領域１４；１５の透明部分として画定され又は設計され、それにより、乗り物運転者、光学センサ等が、透明な第３領域１５．３を通して見ることができるようになっている。
【０１６５】
一般に、特別に設計された第１及び第２プリント領域１４；１５の組み合わせを、第１及び第２ペイン要素１１；１２を配置することによって提供することができ、それによって、個々のペイン要素１１、１２の光学的効果又は特性が相殺される。
【０１６６】
特に、それぞれの第２区域１４．２；１５．２を、必要に応じて、第１と第３区域（１４．１；１４．３と１５．１；１５．３）との間の移行領域として設計することができる。
【０１６７】
このように、少なくとも１つのセンサ又は少なくとも１つのセンサ装置とともに使用するための有利な光学的特性を有する乗り物ペイン１０を、提供することができる。
【符号の説明】
【０１６８】
１０        乗り物ペイン
１１        第１ペイン要素
１１．１    第１ペイン面
１１．２    第２ペイン面
１２        第２ペイン要素
１２．３    第３ペイン面
１２．４    第４ペイン面
１４        第１プリント領域
１４．１    （第１プリント領域の）第１区域
１４．２    (第１プリント領域の）第２区域
１４．３    （第１プリント領域の）第３区域
１５        第２プリント領域
１５．１    （第２プリント領域の）第１区域
１５．２    （第２プリント領域の）第２区域
１５．３    （第２プリント領域の）第３区域
１６        視界領域
【図１】
2021510352.tif 000003
【図２】
2021510352.tif 000004
【図３】
2021510352.tif 000005
【図３ａ】
2021510352.tif 000006
【図３ｂ】
2021510352.tif 000007
【図３ｃ】
2021510352.tif 000008
【図３ｄ】
2021510352.tif 000009
【図４ａ】
2021510352.tif 000010
【図４ｂ】
2021510352.tif 000011
【図４ｃ】
2021510352.tif 000012
【図４ｄ】
2021510352.tif 000013
【図４ｅ】
2021510352.tif 000014
【国際調査報告】
2021510352.tif 000015
2021510352.tif 000016
2021510352.tif 000017
2021510352.tif 000018
2021510352.tif 000019